(57)【要約】【課題】主に自動車の空調や音響機器等の操作に用いられる操作装置に関し、安定した操作体の保持荷重が得られ、製作の容易なものを提供することを目的とする。【解決手段】略Ｕ字状のばね部材１５を操作体１４の中空筒部１４Ａ外周に装着すると共に、このばね部材１５の両端に延出したアーム部１５Ａを、中空筒部１４Ａの通孔部１４Ｂを挿通させ、操作軸１３外周の溝部１３Ｂに弾接させることによって、操作体１４を操作軸１３に間隙Ａを空けて所定の力で確実に保持することができると共に、再度の組立ても容易に行うことが可能な操作装置を得ることができる。【選択図】図１
2008226821.tif 000002
【特許請求の範囲】
【請求項１】
上方に突出した操作軸の回転によって電気的接離または抵抗の増減を行う回転操作型電子部品と、下面に突出形成された中空筒部内に、上記操作軸が上方に間隙を空けて挿入された操作体と、この操作体の中空筒部外周に装着された略Ｕ字状のばね部材からなり、上記操作軸外周に溝部を、上記中空筒部に通孔部を各々設けると共に、上記ばね部材の両端に延出したアーム部を、上記通孔部を挿通させ上記溝部に弾接させた操作装置。
【請求項２】
操作軸の溝部に傾斜部を設けた請求項１記載の操作装置。
【請求項３】
操作体の中空筒部内側に、操作軸上方の間隙内に突出する突出部を設けた請求項１記載の操作装置。
【発明の詳細な説明】
【技術分野】
【０００１】
本発明は、主に自動車の空調や音響機器等の操作に用いられる操作装置に関するものである。
【背景技術】
【０００２】
近年、車室内のフロントパネル部に、様々な操作体を備えた操作装置を配置し、これらによってエアコンやオーディオ等の各種電子機器の操作を行うものが増えている。
【０００３】
このような従来の操作装置について、図８及び図９を用いて説明する。
【０００４】
図８は従来の操作装置の断面図、図９は同分解斜視図であり、同図において、１はスイッチや可変抵抗器等の回転操作型電子部品で、絶縁樹脂製のケース２内にはスイッチ接点や抵抗回路（図示せず）等が形成されると共に、上方に突出した略円柱状の操作軸３の回転によって、これらのスイッチ接点の電気的接離や抵抗の増減が行われるように構成されている。
【０００５】
そして、４は略円柱状で絶縁樹脂製の操作体で、下面に突出形成された中空筒部４Ａには切欠部４Ｂが設けられると共に、この中空筒部４Ａ内に回転操作型電子部品１の操作軸３が、平坦部３Ａを中空筒部４Ａ内周の平坦部（図示せず）に当接させ、上方に間隙Ａを空けて挿入されている。
【０００６】
また、５は金属線が螺旋状に巻回されたばね部材で、このばね部材５が内方へやや撓んだ状態で中空筒部４Ａ外周に装着され、中空筒部４Ａを操作軸３に締め付けて操作装置が構成されている。
【０００７】
なお、このような操作装置を組み立てる際には、先ず、ばね部材５を操作体４下面の中空筒部４Ａ外周に装着した後、回転操作型電子部品１の操作軸３を中空筒部４Ａ内に、中空筒部４Ａやばね部材５を外方へ広げながら圧入して製作が行われる。
【０００８】
そして、このような操作装置が、両面に複数の配線パターンが形成された配線基板（図示せず）に半田付け等によって実装されて、回転操作型電子部品１がコネクタやリード線（図示せず）等を介して、エアコンやオーディオ等の各種電子機器や、自動車の電子回路（図示せず）に電気的に接続されると共に、操作体４が車室内のフロントパネル６等から、回転可能に突出して車両に装着される。
【０００９】
以上の構成において、操作体４を回転操作すると、操作体４下面の中空筒部４Ａに圧入装着された操作軸３が回転して、回転操作型電子部品１内のスイッチ接点の電気的接離や抵抗の増減が行われ、この信号が電子機器や電子回路に出力されて、例えば、エアコンの温度やオーディオの音量の増減等の操作が行われる。
【００１０】
なお、このような車両に用いられる操作装置においては、操作体４を指で確実に掴み、回転操作を容易に行えるように、一般に操作体４の外形が比較的大きく形成されると共に、フロントパネル６からも操作体４が大きく突出している場合が多いため、もし誤って手等を操作体４にぶつけた場合等を考え、上述したように、中空筒部４Ａ底面と操作軸３上端との間には間隙Ａが設けられている。
【００１１】
つまり、図８に示すように、手等がぶつかり操作体４に上方から力が加わって、この力が所定の値以上である場合には、間隙Ａの分だけ操作体４が下方、すなわちフロントパネル６内に移動することによって、手等に加わる衝撃を和らげるようになっている。
【００１２】
このため、ばね部材５が中空筒部４Ａを操作軸３に締め付け保持する力を、通常の操作では間隙Ａを保ち、かつ所定の力が加わった場合には操作体４が下方に移動するように設定する必要があるため、間隙Ａを空けて操作体４を操作軸３に所定の力で保持する、保持荷重の設定を、ばね部材５の荷重やこれが中空筒部４Ａを締め付ける範囲、各部品の形状寸法等を調整することによって行っているものであった。
【００１３】
なお、この出願の発明に関連する先行技術文献情報としては、例えば、特許文献１が知られている。
【特許文献１】特開２００１−２６６７０４号公報
【発明の開示】
【発明が解決しようとする課題】
【００１４】
しかしながら、上記従来の操作装置においては、ばね部材５の荷重及び操作軸３や操作体４の寸法のばらつきによって、間隙Ａを空けて操作体４を操作軸３に所定の力で保持する、保持荷重にばらつきが生じ易く、再度の組立てにも手間がかかり時間を要するという課題があった。
【００１５】
本発明は、このような従来の課題を解決するものであり、安定した操作体の保持荷重が得られ、製作の容易な操作装置を提供することを目的とする。
【課題を解決するための手段】
【００１６】
上記目的を達成するために本発明は、以下の構成を有するものである。
【００１７】
本発明の請求項１に記載の発明は、略Ｕ字状のばね部材を操作体の中空筒部外周に装着すると共に、このばね部材の両端に延出したアーム部を、中空筒部の通孔部を挿通させ、操作軸外周の溝部に弾接させて操作装置を構成したものであり、操作体を操作軸に所定の間隙を空けて所定の力で確実に保持することができると共に、再度の組立ても容易に行うことが可能な操作装置を得ることができるという作用を有する。
【００１８】
請求項２に記載の発明は、請求項１記載の発明において、操作軸の溝部に傾斜部を設けたものであり、傾斜部の形状や大きさを変えることで、操作体の保持荷重を所望のものに設定することができるという作用を有する。
【００１９】
請求項３に記載の発明は、請求項１記載の発明において、操作体の中空筒部内側に、操作軸上方の間隙内に突出する突出部を設けたものであり、ある程度の力で操作体が押圧された時には、突出部の下端が操作軸の先端に当接して、操作体が保持され下方への移動を防ぐと共に、大きな力で操作体が押圧された時には、突出部が変形して操作体が下方へ移動するため、さらに確実に所定の力で操作体を保持可能なものにすることができるという作用を有する。
【発明の効果】
【００２０】
以上のように本発明によれば、操作体を所定の力で確実に保持できると共に、組立ても容易な操作装置を実現することができるという有利な効果が得られる。
【発明を実施するための最良の形態】
【００２１】
以下、本発明の実施の形態について、図１〜図７を用いて説明する。
【００２２】
（実施の形態１）
実施の形態１を用いて、本発明の特に請求項１及び２記載の発明について説明する。
【００２３】
図１は本発明の第１の実施の形態による操作装置の断面図、図２は同部分断面分解斜視図であり、同図において、１１はスイッチや可変抵抗器等の回転操作型電子部品で、絶縁樹脂製のケース１２内にはスイッチ接点や抵抗回路（図示せず）等が形成されると共に、上方に突出した略円柱状で金属製または絶縁樹脂製の操作軸１３の回転によって、これらのスイッチ接点の電気的接離や抵抗の増減が行われるように構成されている。
【００２４】
そして、１４は略円柱状でアクリルやポリカーボネート等の絶縁樹脂製の操作体で、下面に突出形成された中空筒部１４Ａには、一対の対向する通孔部１４Ｂが設けられると共に、この中空筒部１４Ａ内に回転操作型電子部品１１の操作軸１３が、平坦部１３Ａを中空筒部１４Ａ内周の平坦部（図示せず）に当接させ、先端部１３Ｄ上面と中空筒部１４Ａの底面部１４Ｃとの間に間隙Ａを空けて挿入されている。
【００２５】
また、１５は略Ｕ字状で鋼や銅合金等の金属線製のばね部材で、このばね部材１５がやや撓んだ状態で中空筒部１４Ａ外周に装着されると共に、両端に延出したアーム部１５Ａの折曲部１５Ｂが通孔部１４Ｂを挿通し、操作軸１３外周の溝部１３Ｂに弾接して、操作装置が構成されている。
【００２６】
なお、このような操作装置を組み立てる際には、先ず、ばね部材１５を操作体１４下面の中空筒部１４Ａ外周に、アーム部１５Ａの折曲部１５Ｂを通孔部１４Ｂ内に挿入して装着した後、この操作体１４の中空筒部１４Ａ内に回転操作型電子部品１１の操作軸１３を挿入する。
【００２７】
そして、折曲部１５Ｂが操作軸１３の先端部１３Ｄ外周に弾接した状態から、操作体１４を下方へ押圧し、折曲部１５Ｂが溝部１３Ｂの位置になると、ばね部材１５の弾性力によって、アーム部１５Ａの折曲部１５Ｂが溝部１３Ｂに弾接し、折曲部１５Ｂが溝部１３Ｂに嵌まり込んで、中空筒部１４Ａの底面部１４Ｃと操作軸１３の先端部１３Ｄとの間に間隙Ａを空けて、操作体１４が操作軸１３に係止された状態となる。
【００２８】
つまり、このように操作軸１３に操作体１４を装着する際には、両端のアーム部１５Ａが撓み、ばね部材１５全体の撓みによって装着が行われるため、ある程度ばね荷重の大きなばね部材１５を用いた場合でも、容易に組立てを行うことが可能なようになっている。
【００２９】
そして、このような操作装置は、両面に複数の配線パターン（図示せず）が形成された配線基板１６に半田付け等によって実装されて、回転操作型電子部品１１がコネクタやリード線（図示せず）等を介して、エアコンやオーディオ等の各種電子機器や、自動車の電子回路（図示せず）に電気的に接続されると共に、操作体１４が車室内のフロントパネル１７等から、回転可能に突出して車両に装着される。
【００３０】
以上の構成において、操作体１４を回転操作すると、操作体１４下面の中空筒部１４Ａに圧入装着された操作軸１３が回転して、回転操作型電子部品１１内のスイッチ接点の電気的接離や抵抗の増減が行われ、この信号が電子機器や電子回路に出力されて、例えば、エアコンの温度やオーディオの音量の増減等の操作が行われる。
【００３１】
また、この時、もし誤って手等が操作体１４にぶつかって、図３の断面図に示すように、操作体１４に上方からの力が加わり、この力が操作体１４を操作軸１３に所定の力で保持する、保持荷重以上である場合には、間隙Ａの分だけ操作体１４が下方、すなわちフロントパネル１７内に移動することによって、手等に加わる衝撃を和らげるようになっている。
【００３２】
そして、この操作体１４を操作軸１３に間隙Ａを空けて保持する力は、本発明においては、上述したように略Ｕ字状のばね部材１５のアーム部１５Ａが、操作軸１３の溝部１３Ｂに弾接することによって形成されているため、ばね部材１５の荷重と溝部１３Ｂの深さ寸法のみによって、比較的容易に調整や設定が行えるようになっている。
【００３３】
つまり、ばね部材１５を略Ｕ字状に形成すると共に、この両端に延出したアーム部１５Ａを、操作軸１３の溝部１３Ｂに弾接させることによって、通常の操作では、操作体１４を操作軸１３に間隙Ａを空けて確実に保持することができると共に、所定の力が加わった場合に操作体１４を下方に移動させる保持荷重を、容易に設定することが可能なように構成されている。
【００３４】
また、上記のように手等によって保持荷重以上の力が加わり、操作体１４が下方に移動したものを再度元の状態に組立て直す場合にも、フロントパネル１７を外し、操作体１４を上方へ引張るだけで、容易に復元することができるようになっている。
【００３５】
すなわち、図３の状態から操作体１４を上方へ引張ると、組立て時とは逆に折曲部１５Ｂが操作軸１３外周を上方へ弾接摺動し、ばね部材１５の弾性力によって、アーム部１５Ａの折曲部１５Ｂが溝部１３Ｂに弾接し、嵌まり込むようになっているため、操作体１４が間隙Ａを空けて操作軸１３に係止された図１の状態に、容易に再組立てを行うことができる。
【００３６】
さらに、図４の部分側面図に示すように、操作軸１３の溝部１３Ｂの上部や下部に傾斜部１３Ｃを設け、この傾斜部１３Ｃの形状や大きさを変えることによって、操作体１４の保持荷重を微調整すれば、所望の保持荷重への設定をより容易に行うことが可能となる。
【００３７】
このように本実施の形態によれば、略Ｕ字状のばね部材１５を操作体１４の中空筒部１４Ａ外周に装着すると共に、このばね部材１５の両端に延出したアーム部１５Ａを、中空筒部１４Ａの通孔部１４Ｂを挿通させ、操作軸１３外周の溝部１３Ｂに弾接させることによって、操作体１４を操作軸１３に間隙Ａを空けて所定の力で確実に保持することができると共に、再度の組立ても容易に行うことが可能な操作装置を得ることができるものである。
【００３８】
また、操作軸１３の溝部１３Ｂに傾斜部１３Ｃを設けることによって、傾斜部１３Ｃの形状や大きさを変えることで、操作体１４の保持荷重を所望のものに設定することができる。
【００３９】
（実施の形態２）
実施の形態２を用いて、本発明の特に請求項３記載の発明について説明する。
【００４０】
なお、実施の形態１の構成と同一構成の部分には同一符号を付して、詳細な説明を省略する。
【００４１】
図５は本発明の第２の実施の形態による操作装置の断面図、図６は操作体の要部断面斜視図であり、同図において、１１はスイッチや可変抵抗器等の回転操作型電子部品で、上方の操作軸１３を回転することによって、ケース１２内のスイッチ接点の電気的接離や抵抗の増減が行われることは実施の形態１の場合と同様である。
【００４２】
また、２４は略円柱状でアクリルやポリカーボネート等の絶縁樹脂製の操作体で、下面に突出形成された中空筒部２４Ａには一対の対向する通孔部２４Ｂが設けられると共に、この中空筒部２４Ａ内に回転操作型電子部品１１の操作軸１３が、平坦部１３Ａを中空筒部２４Ａ内周の平坦部（図示せず）に当接させ、操作軸１３の先端部１３Ｄの上方に操作体２４の底面部２４Ｃとの間隙Ａを空けて挿入されていることは、実施の形態１の場合と同様であるが、中空筒部２４Ａ内周には間隙Ａ内に突出する突出部２４Ｄが一体に形成されている。
【００４３】
そして、この突出部２４Ｄは図６に示すように、底面部２４Ｃから下方に延出した略リブ状で、突出部２４Ｄの下端部２４Ｅが操作軸１３の先端部１３Ｄと対向すると共に、これらの間には所定の隙間Ｌが設けられている。
【００４４】
また、略Ｕ字状で金属線製のばね部材１５がやや撓んだ状態で中空筒部２４Ａ外周に装着されると共に、両端に延出したアーム部１５Ａの折曲部１５Ｂが通孔部２４Ｂを挿通し、操作軸１３外周の溝部１３Ｂに弾接して、操作装置が構成されていることは実施の形態１の場合と同様である。
【００４５】
さらに、このような操作装置が、配線基板１６に半田付け等によって実装されて、回転操作型電子部品１１が各種電子機器や自動車の電子回路（図示せず）に電気的に接続されると共に、操作体２４が車室内のフロントパネル１７等から、回転可能に突出して車両に装着され、操作体２４を回転操作すると中空筒部２４Ａに圧入装着された操作軸１３が回転し、回転操作型電子部品１１から電子機器や電子回路に出力された信号によって、例えばエアコンの温度やオーディオの音量の増減等の操作が行われることも実施の形態１の場合と同様である。
【００４６】
また、この時、もし誤って手等が操作体２４にぶつかり、操作体２４に上方からの力が加わった場合に、操作体２４が下方、すなわちフロントパネル１７内に移動することも実施の形態１の場合と同様であるが、操作体２４が下方に隙間Ｌだけ移動した後は、突出部２４Ｄの下端部２４Ｅが操作軸１３の先端部１３Ｄに当接するようになっている。
【００４７】
つまり、この力が操作体２４を操作軸１３に所定の力で保持する、保持荷重以下であっても、例えば衝撃として加わった場合には、図７の加圧時の断面図に示すように、操作体２４が下方に隙間Ｌだけ移動し、突出部２４Ｄの下端部２４Ｅに操作軸１３の先端部１３Ｄが当接して、操作体２４はこの位置で保持される。
【００４８】
そして、この突出部２４Ｄの下端部２４Ｅと操作軸１３の先端部１３Ｄとの間の隙間Ｌは、例えば、ばね部材１５の線径の１／２以下またはその近傍の寸法となっているため、操作体２４が下方へ移動して下端部２４Ｅが先端部１３Ｄに当接した時に、ばね部材１５が溝部１３Ｂから外れるのではなく、溝部１３Ｂの内側または上端に弾接する位置までばね部材１５が移動する。
【００４９】
したがって、この突出部２４Ｄの下端部２４Ｅが先端部１３Ｄに当接した状態で、手が離れて押圧力が取り除かれると、ばね部材１５と溝部１３Ｂ内側または上端との弾接による溝部１３Ｂ内への付勢力によって、操作体２４が図５に示す元の状態に戻るようになっている。
【００５０】
すなわち、保持荷重以下の衝撃力が操作体２４に加わった場合には、操作体２４が大きく下方へ移動してフロントパネル１７から下方に沈むのではなく、突出部２４Ｄによって操作体２４が操作軸１３に対し保持されると共に、押圧力が除去されると操作体２４が元の位置に復帰して、通常の操作が行えるように構成されている。
【００５１】
なお、操作体２４に保持荷重以上の大きな力が加わった時には、図７に示す状態から、突出部２４Ｄが操作軸１３により押し潰されたり、剥離したりして変形しながら操作体２４が間隙Ａの分だけ下方、すなわちフロントパネル１７内に移動することによって、手等に加わる衝撃を和らげるようになっている。
【００５２】
また、このように操作体２４の中空筒部２４Ａ内側に突出部２４Ｄを設けることによって、もし周囲温度や湿度等の使用環境条件の変化に伴う寸法変化等によって、ばね部材１５による操作体２４と操作軸１３との保持荷重にばらつきが生じ、操作体２４の保持荷重が小さくなった場合でも、この突出部２４Ｄの形状や寸法によって所望の保持荷重への設定をさらに行うことが可能なように構成されている。
【００５３】
このように本実施の形態によれば、操作体２４の中空筒部２４Ａ内側に、操作軸１３上方の間隙Ａ内に突出する突出部２４Ｄを設けることによって、ある程度の力で操作体２４が押圧された時には、突出部２４Ｄの下端部２４Ｅが操作軸１３の先端部１３Ｄに当接して、操作体２４が保持され下方への移動を防ぐと共に、大きな力で操作体２４が押圧された時には、突出部２４Ｄが変形して操作体２４が下方へ移動するため、さらに確実に所定の力で操作体２４を保持することが可能な操作装置を得ることができるものである。
【００５４】
なお、以上の説明では、中空筒部２４Ａ内側に略リブ状の一つの突出部２４Ｄを形成した構成について説明したが、複数の突出部を設け、これらが大きな力が加わった場合には変形する構成としても本発明の実施は可能である。
【産業上の利用可能性】
【００５５】
本発明による操作装置は、安定した操作体の保持荷重が得られ、製作の容易なものを実現することができ、主に自動車の空調や音響機器等の操作用として有用である。
【図面の簡単な説明】
【００５６】
【図１】本発明の第１の実施の形態による操作装置の断面図
【図２】同部分断面分解斜視図
【図３】同加圧時の断面図
【図４】同部分側面図
【図５】本発明の第２の実施の形態による操作装置の断面図
【図６】同操作体の要部断面斜視図
【図７】同加圧時の断面図
【図８】従来の操作装置の断面図
【図９】同分解斜視図
【符号の説明】
【００５７】
１１  回転操作型電子部品
１２  ケース
１３  操作軸
１３Ａ  平坦部
１３Ｂ  溝部
１３Ｃ  傾斜部
１３Ｄ  先端部
１４、２４  操作体
１４Ａ、２４Ａ  中空筒部
１４Ｂ、２４Ｂ  通孔部
１４Ｃ、２４Ｃ  底面部
１５  ばね部材
１５Ａ  アーム部
１５Ｂ  折曲部
１６  配線基板
１７  フロントパネル
２４Ｄ  突出部
２４Ｅ  下端部
【図１】
2008226821.tif 000003
【図２】
2008226821.tif 000004
【図３】
2008226821.tif 000005
【図４】
2008226821.tif 000006
【図５】
2008226821.tif 000007
【図６】
2008226821.tif 000008
【図７】
2008226821.tif 000009
【図８】
2008226821.tif 000010
【図９】
2008226821.tif 000011